(57)【特許請求の範囲】
【請求項１】
連結する鋼管に挿入できる径を有する所定長さの連結管の中央部付近に鋼管の外径とほぼ同径のカラー体を嵌着し、該カラー体と連結管を貫通してガイド孔を穿設し、該ガイド孔の両側の連結管に鋼管の係止孔に対応させた透孔を穿設し、前記ガイド孔に略山字形状とした係止杆のガイド杆を挿入し、係止杆の係止部を前記透孔に合致させ、ガイド杆には係止部を透孔に没入させる方向に付勢するバネを介装すると共に、連結杆の両端部には連結杆を鋼管より抜脱させた時に鋼管を繋ぎ留めておける繋ぎ部材を回動自在に取り付けたことを特徴とする鋼管連結用金具。
【発明の詳細な説明】
【０００１】
【発明の属する技術分野】
本発明は、例えば建築工事に用いられる単管や建枠等の鋼管を連結する金具に関し、特に連結部にて鋼管を繋ぎ止めておきながら折り畳めるようにした鋼管連結用金具に関する。
【０００２】
【従来の技術】
建築工事等に用いられる単管や建枠類の鋼管部材は係止具を備えた連結金具により上方向や横方向に次々連結することによって仮設足場等を形成している。この連結金具は種々市販されており、例えば、本出願人は先に出願した実願平７−１７４７７１において、折り畳み可能な連結金具を採用して折り畳み自在のＨ型形状の建枠を提案している。
【０００３】
ここで採用した連結金具は、図５に示すように、軸体１の中央部付近を連結しようとする鋼管Ａの外径とほぼ同径とし、その両端部を鋼管Ａの内径より若干細くして鋼管嵌入部２を形成し、該鋼管嵌入部２に鋼管Ａの係止孔３に対応させた透孔４を穿設すると共に、鋼管Ａの係止孔３及び透孔４に挿入して鋼管Ａを係止する係止ピン５を鎖６にて取り付けている。また、この連結金具は軸体１を鋼管Ａより抜脱させたときに軸体１が鋼管Ａより離反しないように繋ぎ部材７を備えると共に、該繋ぎ部材７は軸体１にピン８にて取り付け、このピン８の部分にて折り畳めるようにしている。
【０００４】
【発明が解決しようとする課題】
しかしながら、上記の連結金具は、鋼管連結時には鋼管Ａの係止孔３と連結具の透孔４をうまく合致させてから係止ピン５を挿入しなければならず、またこの作業を左右の連結する鋼管のそれぞれに行う必要があって、連結作業に手間がかかる欠点を有している。
【０００５】
本発明は上記の点に鑑み、鋼管の連結を簡単に行え、かつ連結部にて折り畳めるようにした鋼管連結用金具を提供することを課題とする。
【０００６】
【課題を解決するための手段】
本発明は上記の課題を達成するために、連結する鋼管に挿入できる径を有する所定長さの連結管の中央部付近に鋼管の外径とほぼ同径のカラー体を嵌着し、該カラー体と連結管を貫通してガイド孔を穿設し、該ガイド孔の両側の連結管に鋼管の係止孔に対応させた透孔を穿設し、前記ガイド孔に略山字形状とした係止杆のガイド杆を挿入し、係止杆の係止部を前記透孔に合致させ、ガイド杆には係止部を透孔に没入させる方向に付勢するバネを介装すると共に、連結杆の両端部には連結杆を鋼管より抜脱させた時に鋼管を繋ぎ留めておける繋ぎ部材を回動自在に取り付けたことを特徴としている。
【０００７】
【発明の実施の形態】
本発明の鋼管連結用金具によれば、鋼管を連結する時には、先ず、連結管の両端の繋ぎ部材を連結する鋼管に止めておく。そして略山字形状の係止杆の中央部に位置するガイド杆の先端部をバネに抗して押圧して摺動させ、係止杆の係止部を連結管の透孔より抜け出た状態に保持してから、連結する鋼管を連結管の両側に嵌め入れる。そして鋼管をカラー体に当接させて鋼管の係止孔と連結管の透孔とを合致させたところでガイド杆の押圧を解除する。これによってガイド杆に装着したバネの復元力により係止杆が元の位置に戻り、係止部が鋼管の係止孔に嵌り込んで鋼管を係止して強固に連結する。
【０００８】
また、連結を解除する時には、係止杆の中央部に位置するガイド杆の先端部をバネに抗して押圧しながら鋼管を引き抜く。このとき、鋼管連結用金具と鋼管は繋ぎ部材にて繋ぎ止められおり、繋ぎ部材のボルト止め部にて折り畳むことができる。
【０００９】
このように、本発明の鋼管連結用金具は、係止杆をバネに抗して押圧するだけで簡単に鋼管の連結、解除を行うことができ、また、連結を解除した時には連結物を折り畳むこともできて搬送、収納にも便利なものとなっている。
【００１０】
【実施例】
以下、本発明の実施例を図面に基づいて説明する。
【００１１】
先ず、図１、図２に基づいて説明すると、図中の１０は本発明の鋼管連結用金具を示すもので、連結する鋼管Ａに挿入できる径を有する所定長さの連結管１１を有し、該連結管１１の中央部付近に連結する鋼管Ａの外径とほぼ同径のカラー体１２を嵌着すると共に、カラー体１２と連結管１１を貫通するガイド孔１３を穿設する。また、カラー体１２の両側の連結管１１にも前記ガイド孔１３と同一軸線上に並ぶ位置に鋼管の係止孔１４に対応させた透孔１５を穿設している。
【００１２】
１６は連結する鋼管を係止するための略山字形状の係止杆であって、中央部のガイド杆１７をカラー体１２のガイド孔１３に貫通させ、係止片１８を連結管１１の透孔１５に合致させると共に、ガイド杆１７に圧縮バネ１９を介装してガイド杆１７に貫入したストップピン２０にて係止させ、圧縮バネ１９の復元力によって係止杆１６の係止部１８を連結管１１の透孔１５に没入させるようにしている。
【００１３】
また、連結管１１の両端部にはボルト２１の挿入用の孔２２を穿設した取付け片２３を固着している。そして所定長さに切断したフラットバーより成る繋ぎ部材２４の一端部に穿設したボルト挿入用の孔２５を前記取付け片２３の孔２２に合致させてボルト２１にて締結し、ボルト２１を支点に繋ぎ部材２４を回動自在に軸支している。
【００１４】
前記繋ぎ部材２４には長孔２６を穿設しており、この長孔２６と鋼管Ａに穿設したスライドピン用透孔２７にスライドピン２８を挿入してピン２９にてピン止めしておくと、連結管１１を鋼管Ａより抜脱させた時に鋼管Ａを繋ぎ留めておくことができようになっている。
【００１５】
しかして、本発明の鋼管連結用金具により鋼管を連結する時には、先ず、繋ぎ部材２４を連結する鋼管Ａ内に挿入し、スライドピン用透孔２７と繋ぎ部材２４の長孔２６を合致させてからスライドピン２８を挿入してピン止めする。
【００１６】
次に、鋼管連結用金具１０の係止杆１６のガイド杆１７の先端部を手で押圧して係止部１８が連結管１１の透孔１５より抜き出た状態に保持してから、鋼管Ａを連結管１１の両端部に挿入してカラー体１２に当接させる。そして鋼管Ａの係止孔１４と連結管１１の透孔１５とを挿通状に一致させてから係止杆１６を離して押圧を解除する。係止杆１６は圧縮バネ１９の復元力によって元の位置に戻り、係止部１８が鋼管Ａの係止孔１４及び連結管１１の透孔１５に嵌り込んで鋼管Ａを係止し、強固に連結する。
また、連結を解除する時には、係止杆１６のガイド杆１７の先端部を手で押圧して係止部１８を鋼管Ａの係止孔１４より抜き出すと簡単に連結を解除できる。このとき、鋼管連結用金具１０と鋼管Ａは繋ぎ部材２４にて繋ぎ止められおり、繋ぎ部材２４のボルト２１の止め部にて折り畳むことができる。
【００１７】
図３〜図４は本発明の鋼管連結用金具１０を鋼管製枠組足場であるＨ型形状をした建枠に採用した例を示すものである。この建枠３０は中央部にて二分割して形成し、分割した脚柱３１の中央部の横管３２同士を鋼管連結用金具１１にて連結したものである。この鋼管連結用金具１０を採用すると図４のように建て枠３０を折り畳むことができ、例えば地下の工事現場で使用するのにマンホ−ルの狭い開口部から搬入することも可能となる。
【００１８】
なお、本発明の鋼管連結用金具１０は上記のように二分割した建枠同士を連結して折り畳み自在の建枠とすることもできるが、上下の建枠同士を連結して仮設足場を構築することもできる。このように上下に建枠を組み上げると、建枠の最上部を吊り下げて連結部を下段より次々折り畳みながら地上に降ろしていくこともでき、また反対に折り畳んだ建枠の最上部を吊り上げながら足場を構築することもできる。更に、前記建枠だけでなく、単管同士を連結することもできるなど幅広い用途に使用することができる。
【００１９】
【発明の効果】
以上のように本発明の鋼管連結用金具にあっては、連結する鋼管に挿入できる径を有する所定長さの連結管の中央部付近に鋼管の外径とほぼ同径のカラー体を嵌着し、該カラー体と連結管を貫通してガイド孔を穿設し、該ガイド孔の両側の連結管に鋼管の係止孔に対応させた透孔を穿設し、前記ガイド孔に略山字形状とした係止杆のガイド杆を挿入し、係止杆の係止部を前記透孔に合致させ、ガイド杆には係止部を前記透孔に没入させる方向に付勢するバネを介装すると共に、連結杆の両端部には連結杆を鋼管より抜脱させた時に鋼管を繋ぎ留めておける繋ぎ部材を回動自在に取り付けたので、鋼管連結用金具により鋼管を連結する場合にワンタッチで連結できて組み立て、解体の作業性が向上し、かつ連結物を折り畳めることができて搬送、収納に便利なものとなる。
【図面の簡単な説明】
【図１】本発明の鋼管連結用金具の一部を切り欠いた正面図である。
【図２】同上の分解斜視図である。
【図３】同上の連結用金具を使用したＨ型形状の建枠の正面図である。
【図４】同上の建枠を折り畳んだ時の斜視図である。
【図５】従来の連結金具を示す斜視図である。
【符号の説明】
１０…鋼管連結用金具              １１…連結管
１２…カラー体                    １３…ガイド孔
１４…鋼管の係止孔                １５…透孔
１６…係止杆                      １７…ガイド杆
１８…係止部                      １９…圧縮バネ
２４…繋ぎ部材                      Ａ…鋼管
【図１】
0003878706.tif 000002
【図２】
0003878706.tif 000003
【図３】
0003878706.tif 000004
【図４】
0003878706.tif 000005
【図５】
0003878706.tif 000006